(57)【要約】【課題】薄型構成をとりながら、密閉性と強度に優れたディスクカートリッジを実現する。【解決手段】開口部１２をスライダー３と連動する複数の部材で密閉して、かつ部材をシェル１１と同一面内に配置して各々肉厚を確保し、さらにそれらをディスクカートリッジ外形より外側に待避させて開口部１２を露出させる構成とする。【選択図】　図１
2004030786.tif 000002
【特許請求の範囲】
【請求項１】
ディスク状記録媒体を内装する空間を形成し、前記ディスク状記録媒体を露出させる複数の開口部が設けられたシェルと、
前記開口部の密閉位置においては、前記開口部を覆って前記ディスクを密閉し、前記開口部の開放位置においては、主要な構成要素を前記密閉位置における前記ディスクカートリッジの最外形より外側の空間に待避させて前記ディスク状記録媒体を露出させる開閉手段とを有するディスクカートリッジ。
【請求項２】
前記開閉手段は、前記開放位置において、前記開口部が構成される面の後方側に待避させることを特徴とする請求項１記載のディスクカートリッジ。
【請求項３】
前記開閉手段は、前記ディスクカートリッジ両側面の前記シェル表面に設けられたガイド溝に沿って摺動するスライダーを含む、複数の連動したシャッター部材を有することを特徴とする請求項２記載のディスクカートリッジ。
【請求項４】
前記ガイド溝は、前記スライダーを昇降させる傾斜部と、前記スライダーを上昇させた状態で前記スライダーを前記開放位置まで移動させるための第１の略水平部とを有することを特徴とする請求項３記載のディスクカートリッジ。
【請求項５】
前記傾斜部を、前記ガイド溝の前記密閉位置側端部に設けることを特徴とする請求項４記載のディスクカートリッジ。
【請求項６】
前記シャッター部材は、前記スライダーと、
前記スライダー上に支点を持ち、前記シェルの前記開口部が構成される面と平行な面内で回動可能に配設された複数のサブシャッターとを有し、
前記サブシャッターは、前記密閉位置においては前記スライダーの前方あるいは後方に張り出して、前記スライダーと共に前記開口部を密閉し、前記開放位置においては前記スライダーと前記シェルの間の空間に回動して格納されることを特徴とする請求項４記載のディスクカートリッジ。
【請求項７】
前記サブシャッターに設けたボスと前記シェルの前記開口部が構成される面上に形成したカム溝とを係合させることを特徴とする請求項６記載のディスクカートリッジ。
【請求項８】
前記密閉位置において、前記カム溝の密閉位置側端部のシェルと係合して前記サブシャッターの前記ディスクカートリッジ厚み方向の移動を規制する抜け止め手段を、前記ボスに設けることを特徴とする請求項７記載のディスクカートリッジ。
【請求項９】
前記密閉位置において、前記サブシャッターの端部を係合させ、前記サブシャッターの前記ディスクカートリッジ厚み方向の動き規制を行う規制溝を前記シェルに設け、
前記ガイド溝の前記密閉位置側端部に第２の略水平部を設けることを特徴とする請求項６記載のディスクカートリッジ。
【請求項１０】
前記複数のサブシャッターを相互に連動させる伝達手段を設けることを特徴とする請求項６記載のディスクカートリッジ。
【請求項１１】
前記シェルに回動可能に支持され、前記密閉位置において前記スライダーと係合する方向に弾性手段により付勢されるスライダーロック部材を有し、
前記スライダーロック部材の回動支点は、前記スライダーとの係合点に対して前記スライダーの移動方向における前記密閉位置側に設けられることを特徴とする請求項５記載のディスクカートリッジ。
【発明の詳細な説明】
【０００１】
【発明の属する技術分野】
本発明はディスク状記録媒体を保護して取り扱いを容易にするためのディスクカートリッジに関するものである。
【０００２】
【従来の技術】
近年、大容量の書き換え型光ディスクが登場し、ＰＣ用バックアップメディアやビデオレコーダ等の用途で急速に普及が進んでいる。しかしながらこのような高密度記録を行う光ディスクシステムでは、ディスクの記録面に付着したダストや指紋の影響が無視できず、正常な記録再生の妨げとなる。そのため書き換え型光ディスクは、通常ユーザに直接触られることのできないよう密閉構造をとったディスクカートリッジに格納されているものが多い。
【０００３】
このようなディスクカートリッジの一例として、特開平１０−２５５４３３号公報がある。以下、従来の技術の構成を説明するが、従来の技術の欄及び発明が解決しようとする課題の欄で説明する従来例に関して用いる図面番号及び符号は、特開平１０−２５５４３３号公報において用いられているものをそのまま使用する。
【０００４】
特開平１０−２５５４３３号公報の図１に示すとおり、カートリッジ本体５１は、ディスク（図示せず）が収納されている。ケース半体５２及び５３には、スピンドル穴５４と光学ヘッド用のヘッドウィンドウ５５が開口しており、両者は未使用時には、閉鎖位置に位置決めされたシャッター５６により遮蔽され、ディスクの汚れ、ごみ及び指紋等の付着を防止している。さらにカートリッジ本体５１の前面側には、カートリッジ本体５１の厚みより小さい厚みの連結部５８が形成されている。前記摺動レール部５７には、スライダー５９を中央部側へ押圧して付勢するねじりコイルバネ６０ｃと６０ｄが配されている。シャッター５６はスライダー５９と連結され、カートリッジ本体５１の中央部側に付勢されて位置決めされている。
【０００５】
次に上記カートリッジの開口部開閉動作を特開平１０−２５５４３３号公報の図２０により説明する。カートリッジ本体５１のドライブ本体への装着時には、ドライブ側の開放レバー（図示せず）によりシャッター５６がねじりコイルバネ６０ｃの付勢力に抗して左側へ押圧され、スライダー５９と共に摺動レール部５７に沿って摺動移行する。移行が完了すると、スピンドル穴５４及びヘッドウィンドウ５５を開放し、ディスクのセンター穴（図示せず）とディスク記録面の一部（図示せず）を露出させる。またカートリッジ本体５１がドライブ本体から排出される時には、開放レバー（図示せず）の押圧力が小さくなるのに伴い、ねじりコイルバネ６０ｃの付勢力によってシャッター５６はスライダー５９と共に閉鎖位置に復帰する。
【０００６】
【発明が解決しようとする課題】
しかしながら、従来例のディスクカートリッジでは、ディスク径に対して大きな開口部が要求される場合、例えば８ｃｍディスク用カートリッジに対して、１２ｃｍディスク用に設計された光ヘッドを使用可能とするため、開口部幅を１２ｃｍディスク用カートリッジと同等に大きく設定すると、８ｃｍディスク直径相当寸法のカートリッジ幅においては、開口部幅が開口部側方のシャッター待避位置の幅より大きくなり、開口部を覆う一枚シャッターを側方へ平行移動するだけでは待避できなくなる。すなわち、従来例のスライダー構成で対応できないという問題を生じる。
【０００７】
また従来の技術では、シャッター５６はカートリッジ本体５１上を摺動して移動するため、シャッター５６が開放位置と閉鎖位置との間の比較的広い領域で、カートリッジ本体５１はシャッター５６の厚み分天板を薄く構成する必要がでて、カートリッジ本体５１の薄型化が必要となる場合などはカートリッジ本体５１の強度を確保するのが困難となる。
【０００８】
スピンドル穴５４とヘッドウィンドウ５５を開閉するシャッター５６が断面コ字状をなすよう形成されており、このシャッター５６をカートリッジ本体５１の一辺に嵌め合わせ、その一辺に沿ってシャッター５６をスライドさせて開口部を開閉する構造であり、カートリッジ本体５１とシャッター５６の摺動性を確保するためにカートリッジ本体５１とシャッター５６の間に必然的に隙間を設ける必要があり、微小なごみや埃の進入を防ぐことができなかった。
【０００９】
さらにシャッター５６は外形に露出してユーザが触れられる状態にあり、またシャッター５６自身にロック機構がないため、ユーザが誤ってシャッター５６を開口させ、容易に開口部が露出してしまう危険がある。
【００１０】
本発明は上記従来の課題を解決するもので、ディスクカートリッジを機器で使用しない保管時においては、小径ディスクに適合する小型・薄型構成を実現すると共に、大径ディスクに対応して設計されたヘッドを使用可能な大きな開口部を確保しつつ、本体の強度と防塵性能を向上させたディスクカートリッジの提供を目的とする。
【００１１】
【課題を解決するための手段】
上記目的を達成するために本発明に係るディスクカートリッジは、ディスク状記録媒体を内装する空間を形成し、ディスク状記録媒体を露出させる複数の開口部が設けられたシェルと、開口部の密閉位置においては、開口部を覆ってディスク状記録媒体を密閉し、開口部の開放位置においては、主要な構成要素を密閉位置におけるディスクカートリッジの最外形より外側の空間に待避させてディスク状記録媒体を露出させる開閉手段を有することを特徴とするものである。
【００１２】
かかる構成により、シェルと開口部を塞ぐシャッターに十分な厚みをもたせてそれぞれの強度を確保しながら、密閉位置においてはシャッターをシェルと略同一平面内に配置して開口部を塞いで密閉性を確保し、開放位置においてはシャッターをシェルより外側の開口部直下以外の領域に待避させてディスクを露出させる。よってシェルとシャッターは同等の厚みを確保しても、密閉位置でのディスク格納空間外にはシェル１枚しか必要とならず、シェルに重ね合わせたシャッターを摺動させて開口部を開放させる構成に比べ、強度的に優れたディスクカートリッジを実現できる。
【００１３】
また、開閉手段は、開放位置において、開口部が構成される面の後方側に待避させることが望ましい。
【００１４】
かかる構成により、一般的なディスクドライブ構成においてディスクカートリッジが装着された時に、配置される主要なメカニズム部品がない空き領域へディスクカートリッジのシャッターを待避させるため、シャッターをシェルの外側に待避させてもメカニズムの厚み寸法が増加するのを抑えることができるからである。
【００１５】
また、本発明に係るディスクカートリッジは、開閉手段が、カートリッジ両側面のシェル表面に設けられたガイド溝に沿って摺動するスライダーを含む、複数の連動したシャッター部材を有することを特徴とする。
【００１６】
かかる構成により、シェルに形成された溝に案内された略直線的なスライダーの動作によってディスクカートリッジの開閉手段を動作させるため、スライダーを拘束した状態でシェルを押し込むあるいは引き抜くという簡単な構成で開口部の密閉位置と開放位置を切り替えることができるディスクカートリッジを実現できる。
【００１７】
また、本発明に係るディスクカートリッジは、ガイド溝が、スライダーを昇降させる傾斜部と、スライダーを上昇させた状態でスライダーを開放位置まで移動させるための第１の略水平部とを有することを特徴とする。
【００１８】
かかる構成により、スライダーの昇降動作を、ガイド溝形状によってスライダーの略直線的な動作の中で行うことで、安定して動作する開閉手段を実現したディスクカートリッジを実現できる。
【００１９】
また、本発明に係るディスクカートリッジは、傾斜部を、ガイド溝の密閉位置側端部に設けることが望ましい。
【００２０】
かかる構成により、開閉手段動作の中で、密閉位置側では物理的寸法が許す限りスライダーをカートリッジ厚み方向に付勢できる構成とし、ディスクカートリッジの密閉性を高めることができるからである。
【００２１】
また、本発明に係るディスクカートリッジは、シャッター部材が、スライダーと、スライダー上に支点を持ちシェルの前記開口部が構成される面と平行な面内で回動可能に配設された複数のサブシャッターを有し、サブシャッターは、密閉位置においてはスライダーの前方あるいは後方に張り出して、スライダーと共に開口部を密閉し、開放位置においてはスライダーと前記シェルの間の空間に回動して格納されることを特徴とする。
【００２２】
かかる構成により、密閉位置においてはスライダーとサブシャッターの両者により大きな面積の開口部を密閉可能としながら、開放位置においてはサブシャッターをスライダーとシェルの間に格納してディスクカートリッジの占有空間を抑えたディスクカートリッジを実現できる。
【００２３】
また、本発明に係るディスクカートリッジは、サブシャッターに設けたボスとシェルの開口部が構成される面上に形成したカム溝とを係合させることを特徴とする。
【００２４】
かかる構成により、開閉手段の動作に伴うサブシャッターの回動をシェルに形成したカム溝を用いて行うことで、スライダーの動作とサブシャッターの回動を連動させ、スライダーを拘束した状態でシェルを押し込むあるいは引き抜くという簡単な構成で開口部の密閉位置と開放位置を切り替えることができるディスクカートリッジを実現できる。
【００２５】
また、本発明に係るディスクカートリッジは、密閉位置において、カム溝の密閉位置側端部のシェルと係合してサブシャッターのディスクカートリッジ厚み方向の移動を規制する抜け止め手段を、ボスに設けることを特徴とする。
【００２６】
かかる構成により、密閉位置において、サブシャッターをスライダーへの取付け部とボスの抜け止め手段の２個所でディスクカートリッジ厚み方向に規制し、ユーザがサブシャッターを不用意に触ってもサブシャッターが容易に浮き上がって密閉性が損なわれることのないディスクカートリッジを実現できる。
【００２７】
また、本発明に係るディスクカートリッジは、密閉位置において、サブシャッターの端部を係合させ、サブシャッターのディスクカートリッジ厚み方向の動き規制を行う規制溝をシェル端部に設け、かつガイド溝の密閉位置側端部に第２の略水平部を設けることを特徴とする。
【００２８】
かかる構成により、密閉位置において、サブシャッターの一端はスライダーに、他端はシェルの規制溝に支持されるため、ユーザがサブシャッターを不用意に触ってもサブシャッターが容易に浮き上がって密閉性が損なわれることはなく、第２の略水平部をもったガイド溝で、サブシャッターと規制溝の係合を解除した後スライダーを上昇させるよう姿勢制御するディスクカートリッジを実現できる。
【００２９】
また、本発明に係るディスクカートリッジは、複数のサブシャッターを相互に連動させる伝達手段を設けることが望ましい。
【００３０】
かかる構成により、１つのサブシャッターをカム溝により回動させることによって全てのサブシャッターをスライダーの移動と連動して回動させて容易に開閉動作を行うことが可能なディスクカートリッジを実現できる。
【００３１】
また、本発明に係るディスクカートリッジは、シェルに回動可能に支持され、密閉位置においてスライダーと係合する方向に弾性手段により付勢されるスライダーロック部材を有し、スライダーロック部材の回動支点を、スライダーとの係合点に対してスライダーの移動方向における密閉位置側に設けることを特徴とする。
【００３２】
かかる構成により、スライダロック部材とスライダーが係合した状態で、スライダーロック部材がスライダーを密閉位置側へ付勢する力を発生させ、ロック位置での密閉性を向上させたディスクカートリッジを実現できる。
【００３３】
【発明の実施の形態】
以下、本発明の実施の形態１について図面を用いて説明する。
【００３４】
（実施の形態１）
まず基本構成を、図１〜図６により説明する。図１は本発明の実施の形態のディスクカートリッジ１が密閉状態の平面図、図２は同じく密閉状態の側面図、図３は同じく密閉状態の側断面図、図４はスライダー３とサブシャッター４ａ及び４ｂの平面図、図５はガイド溝１３の断面図、図６はサブシャッター４のカムシャフト４４付近の断面図である。
【００３５】
図１〜図３に示すように、ディスクカートリッジ１は、上シェル１１ａと下シェル１１ｂで構成されるシェル１１を有し、シェル１１内部にディスク２が収納されている。下シェル１１ａにはディスク２を露出させるための開口部１２が設けられる。この開口部１２は、ディスクカートリッジ１をディスクドライブに使用する場合に、情報の記録再生を行うヘッドユニット及びディスク２を支持して回転させるスピンドルが挿入される、十分な広さが確保されている。
【００３６】
またシェル１１の両側面には、スライダー３を案内するためのガイド溝１３が略対称に設けられる。図５の断面形状に示す通り、ガイド溝１３は、幅が太く深さの浅いガイド溝大１３１と幅が狭く深さの深いガイド溝小１３２の２本が組み合わさって配置されており、ガイド溝大１３１は傾斜部１３１ａと水平部１３１ｂから、ガイド溝１３２は傾斜部１３２ａと水平部１３２ｂからそれぞれ構成されている。
【００３７】
さらにシェル１１の開口部１２が形成される面の後方には、サブシャッターを案内するための２本のカム溝１４ａ及び１４ｂが形成される。カム溝１４ａは貫通部１４０ａと傾斜部１４１ａと水平部１４２ａとから、カム溝１４ｂは貫通部１４０ｂと傾斜部１４１ｂと水平部１４２ｂからなり、それぞれ深さの異なる３種類の領域で構成されている。
【００３８】
シェル１１上の開口部１２が形成されるのと同じ面の左右側面近傍には、ディスクカートリッジ１の前後方向に、前方側は前面に開放され後方側は閉じたスリット１５ａ及び１５ｂが形成される。
【００３９】
スライダー３は、図１〜図４に示すように、コの字形状で下シェル１１ｂを抱える構成をとり、開口部１２の前方を覆っている。スライダー３の前端部３０は、シェル１１のやはり前端に設けられるＶ字溝１６に差し込まれており、ユーザがスライダー３のエッジを触って容易に持ち上げられない構成で、容易にシェル１１との間の隙間を生じさせにくくなっている。スライダー３の両側面部に略対称に設けられたガイド軸３１及び３２が、シェル１１の側面部に設けられたガイド溝１３と係合しており、スライダー３はガイド溝１３に沿って摺動可能に保持されている。ここで図４に示す通り、径が太く長さの短いガイド軸３１がディスクカートリッジ１前方側、径が細く長さの長いガイド軸３２がディスクカートリッジ１の後方側に配置され、それぞれガイド軸３１はガイド溝大１３１と、ガイド軸３２はガイド溝１３２と係合する。
【００４０】
サブシャッター４ａ及び４ｂは、図１〜図４に示すように、共にスライダー３に設けられた支軸３３ａ及び３３ｂによってそれぞれ回動自在に取り付けられ、開口部１２のスライダー３でカバーできていない後方の領域を覆っている。ここでサブシャッター４ａと４ｂは、傾斜面で構成されるシャッターエッジ４０ａと４０ｂが開口部１２のセンター位置で互いに噛み合う構成で、両者の突合せ部分の密閉性を高めている。またサブシャッター４ａ及び４ｂは開口部１２の中に嵌まり込む形で穴を塞ぎ、開口部周辺のシェル１１に設けられた段差部１７にサブシャッター周辺部に形成されるフック部４６ａと４６ｂが重なる形でサブシャッター周辺部の密閉性を高めている。
【００４１】
サブシャッター４ａと４ｂには、カムシャフト４４ａと４４ｂがそれぞれ配設される。以下、２つサブシャッターの基本構成は同じであるため、サブシャッター４ａのカムシャフト４４ａに絞って説明を行う。カムシャフト４４ａは、シェル１１のカム溝１４ａと係合しており、ディスクカートリッジ１の密閉状態においてはカム溝１４ａの貫通部１４０ａに位置する。図６に示す通り、カムシャフト４４ａにはディスクカートリッジ前方側に凹部４５ａが設けられ、貫通部１４０ａの内側に形成された凸部１４５と係合し、ユーザがサブシャッター４ａを不用意に触っても、サブシャッター４ａが大きく浮き上がって開口部が露出するのを防止する。
【００４２】
次にスライダー３のロック機構について、図１と図７、図８を用いて説明する。図７はスライダーロック５のロック状態を示す平面図であり、図８はロックリリースによるロック解除状態を示す平面図である。
【００４３】
本実施の形態では、スライダー３の両側部に１対のロック機構を設ける。これらの構成は完全に対称な構成であり、以下の説明は図１の平面図右側のロック機構についてのみ行う。しかしながら本発明において、ロック機構はかならずしも両側に必要なものではなく、スライダー３の形状に応じて片側にのみ配置する構成も可能である。
【００４４】
スライダーロック５は、図７に示すとおり、シェル１１の内側に形成されるロック軸１７を中心に回動可能に支持されている。スライダーロック５には、スライダー３に形成されてシェル１１のスリット１５ａに挿入されているロック板３５と係合し、スライダー３が開放方向へ移動するのを防ぐフック部５３と、ロックリリース６がスリット１５ａに挿入された時に当接し、スライダロック５をフック部５３の係合が外れる方向に回転させるレバー部５４と、スライダロック５を常時フック部５３がスリット１５ａ方向に回転させる力を発生させる弾性部５５とを有する。弾性部５５については、スライダロック５の他の部分と同じ材料で弾性を持たせるよう一体に構成してもよいし、別部材のバネを配置してもよい。
【００４５】
ここで図７に示すように、ロック状態におけるロック軸１７の位置は、フック部５３とロック板３５の係合点Ｘに対してスライダーの移動方向における密閉位置側に設けており、これによって弾性部５５により発生する力ｆによるスライダロック５の力のモーメントが係合点Ｘでスライダー３に及ぼす力Ｆは、スライダー３を密閉位置側へ押圧する分力Ｆ１を有する。よってスライダー３が密閉位置にある場合のディスクカートリッジ１の密閉性を高めることが可能である。
【００４６】
図８に示すように、ロックリリース６が前方からスリット１５ａ及び１５ｂに挿入されると、ロックリリース６がスライダロック５のレバー部５４に当接して、弾性部５５による反力に抗してスライダロック５を回動させる。これによってフック部５３がスライダー３のロック板３５との係合が外れ、スライダー３はディスクカートリッジ１後方へ移動可能となり、さらにロックリリース６を押し込むことでスライダー３はロックリリース６に押圧されて移動を開始する。
【００４７】
次にディスクカートリッジ１の開口部１２の密閉状態から開放状態への移行を、図９〜図１３を用いて説明する。図９は本発明の実施の形態のディスクカートリッジ１でスライダー３移動初期の側断面図、図１０は同じくスライダー３移動中期の平面図、図１１は同じく開放状態の平面図、図１２は同じく開放状態の側面図、図１３は同じく開放状態の側断面図である。
【００４８】
図１の状態から、ロックリリース６が前方からスリット１５ａ及び１５ｂに挿入されることでスライダーロック５が解除されて移動開始したスライダー３は、まずガイド溝１３の傾斜部１３１ａ及び１３２ａで案内されて、水平部１３１ｂ及び１３２ｂに移行して、図９に示すスライダー３の天板３４及びサブシャッター４ａ及び４ｂがシェル１１の外側の位置まで持ち上げられる。この過程で、サブシャッター４ａ及び４ｂのカムシャフト４４ａ及び４４ｂは、それぞれシェル１１上カム溝１４ａの貫通部１４０ａから傾斜部１４１ａを経由して水平部１４２ａに、あるいはカム溝１４ｂの貫通部１４０ｂから傾斜部１４１ｂを経由して水平部１４２ｂに至る。
【００４９】
スライダー３が水平移動する過程で、ガイド軸大３１がガイド溝１３２の傾斜部１３２ａを通過する際に、一時的にガイド溝の規制が失われるが、図４に示すようにガイド軸３１の前後方向位置を傾斜部１３２ａでカム溝が途切れる距離以上にずらして配置して、全４本のガイド軸中常時３本が安定して案内されるものとし、スライダー３の移動は安定して行うことが可能となっている。
【００５０】
さらにスライダー３が移動すると、図１０に示すようにサブシャッター４ａ及び４ｂが、それぞれカム溝１４ａと１４ｂに案内され反対方向に回動を行う。
【００５１】
最終的にスライダー３は、図１２に示すガイド軸小３２がガイド溝水平部１３２ｂの端部に到達する位置まで移動し、図１１〜１３に示すディスクカートリッジ１の開口部１２の開放状態に至る。この時スライダー３は完全に開口部１２の後部まで移動しており、回動を終えたサブシャッター４ａ及び４ｂは、スライダー３の天板３４とシェル１１の間に格納されて、開口部１２は全開となってディスク２を露出させる。
【００５２】
反対にディスクカートリッジ１の開放状態から密閉状態への移行は、スライダー３を保持した状態で、シェル１１をディスクカートリッジ１の後方に向かって押し戻すことで、前述とは逆のプロセスで行われる。
【００５３】
以上本発明の実施の形態を説明したが、本発明は上記の構成に限定されるものではない。
【００５４】
例えば本実施の形態では、２つのサブシャッター４ａ及び４ｂの動作をともにシェル１１上のカム溝１４ａと１４ｂを用いて制御する構成としたが、サブシャッター同士の動作を連動手段によって相互に伝達するものとし、一方のサブシャッターのみカム溝で駆動し、他方のサブシャッターを例えば歯車機構により連動させて開放動作を行うものでもよい。さらに連動手段としては、リンク機構やカム機構を用いても容易に実現可能である。
【００５５】
また図１４に示すようなスライダーが開口部の後方を覆い、サブシャッターが開口部の前方を覆う構成でもよい。
【００５６】
以上の説明から明らかなように本発明の実施の形態によれば、スライダー３とサブシャッター４ａ及び４ｂを、開放状態においてシェルの外側へ待避させる構成によって、サブシャッター４ａ及び４ｂは、シェル１１に対してディスクカートリッジ１の高さ方向でなく面内に配置でき、密閉状態でのディスクカートリッジ１の高さを抑えると共に、それぞれに十分な肉厚をとって強度を確保することができる。
【００５７】
またディスク記録再生装置のヘッドやスピンドルの設計自由度を広げる大きな面積の開口部１２を確保しても、密閉状態においては、スライダー３とサブシャッター４ａ及び４ｂでシェル１１の開口部１２を覆い、かつそれぞれがシェル１１あるいは他の部品と突き合わされる箇所には重ね合わせ部分を持たせており、高い密閉性を実現する。
【００５８】
【発明の効果】
以上のように、本発明に係るディスクカートリッジによれば、開口部をスライダーと連動する複数の部材で密閉して、かつ部材をシェルと同一面内に配置して各々肉厚を確保し、さらにそれらをディスクカートリッジの外形より外側に待避させて開口部を露出させる構成とすることで、保管時においては、小径ディスクに適合する小型・薄型構成を実現しながら本体の強度と密閉性を確保し、機器での使用時には大径ディスクに対応して設計されたヘッドを使用可能な大きな開口部を実現できる。
【図面の簡単な説明】
【図１】本発明の実施の形態１に係るディスクカートリッジの密閉状態での平面図
【図２】本発明の実施の形態１に係るディスクカートリッジの密閉状態での側面図
【図３】本発明の実施の形態１に係るディスクカートリッジの密閉状態での側断面図
【図４】本発明の実施の形態１に係るディスクカートリッジのスライダーとサブシャッターを示す平面図
【図５】本発明の実施の形態１に係るディスクカートリッジのガイド溝の断面図
【図６】本発明の実施の形態１に係るディスクカートリッジの密閉状態でのカムシャフトの断面図
【図７】本発明の実施の形態１に係るディスクカートリッジのスライダーロックのロック状態の平面図
【図８】本発明の実施の形態１に係るディスクカートリッジのスライダーロックのリリース状態の平面図
【図９】本発明の実施の形態１に係るディスクカートリッジのスライダー移動初期の側断面図
【図１０】本発明の実施の形態１に係るディスクカートリッジのスライダー移動中期の平面図
【図１１】本発明の実施の形態１に係るディスクカートリッジの開放状態の平面図
【図１２】本発明の実施の形態１に係るディスクカートリッジの開放状態の側面図
【図１３】本発明の実施の形態１に係るディスクカートリッジの開放状態の側断面図
【図１４】本発明の実施の形態１に係るディスクカートリッジの他の構成例平面図
【符号の説明】
１　ディスクカートリッジ
１１　シェル
１３　ガイド溝
１４　カム溝
２　ディスク
３　スライダー
４　サブシャッター
【図１】
2004030786.tif 000003
【図２】
2004030786.tif 000004
【図３】
2004030786.tif 000005
【図４】
2004030786.tif 000006
【図５】
2004030786.tif 000007
【図６】
2004030786.tif 000008
【図７】
2004030786.tif 000009
【図８】
2004030786.tif 000010
【図９】
2004030786.tif 000011
【図１０】
2004030786.tif 000012
【図１１】
2004030786.tif 000013
【図１２】
2004030786.tif 000014
【図１３】
2004030786.tif 000015
【図１４】
2004030786.tif 000016